(57)【要約】【課題】複数の蓄電システムを制御する技術を提供する。【解決手段】認識部２２４は、需要家１６から電力系統３０への電力の逆潮流状態であるか、あるいは電力系統３０から需要家１６への電力の順潮流状態であるかを認識する。制御部２１６は、認識部２２４が逆潮流状態であることを認識した場合、第１蓄電システム４０ａから第３蓄電システム４０ｃの充電に関する優先度をもとに、第１蓄電システム４０ａから第３蓄電システム４０ｃのうちの少なくとも１つを充電させる。制御部２１６は、認識部２２４が順潮流状態であることを認識した場合、第１蓄電システム４０ａから第３蓄電システム４０ｃの放電に関する優先度をもとに、第１蓄電システム４０ａから第３蓄電システム４０ｃのうちの少なくとも１つを放電させる。【選択図】図１
2019118170.tif 000002
【特許請求の範囲】
【請求項１】
需要家に設置され、かつ電力系統に接続された複数の蓄電システムの充放電を制御する電力制御装置であって、
前記需要家から前記電力系統への電力の逆潮流状態であるか、あるいは前記電力系統から前記需要家への電力の順潮流状態であるかを認識する認識部と、
前記認識部が逆潮流状態であることを認識した場合、前記複数の蓄電システムの充電に関する優先度をもとに、前記複数の蓄電システムのうちの少なくとも１つの蓄電システムを充電させる制御部とを備え、
前記制御部は、前記認識部が順潮流状態であることを認識した場合、前記複数の蓄電システムの放電に関する優先度をもとに、前記複数の蓄電システムのうちの少なくとも１つの蓄電システムを放電させる、
電力制御装置。
【請求項２】
前記制御部における充電に関する優先度と、放電に関する優先度とは共通である、
請求項１に記載の電力制御装置。
【請求項３】
前記制御部における充電に関する優先度と、放電に関する優先度とは異なる、
請求項１に記載の電力制御装置。
【請求項４】
ユーザが操作可能に構成された操作部をさらに備え、
前記制御部は、前記操作部から入力された前記充電に関する優先度をもとに、前記複数の蓄電システムのうちの少なくとも１つの蓄電システムを充電させる、
請求項１から３のいずれか１項に記載の電力制御装置。
【請求項５】
前記認識部は、前記複数の蓄電システムのそれぞれの充電可能量を認識し、
前記制御部は、前記認識部において認識した充電可能量が多いほど優先度が高くなるように、前記複数の蓄電システムのそれぞれに対して前記充電に関する優先度を生成する、
請求項１から３のいずれか１項に記載の電力制御装置。
【請求項６】
前記認識部は、前記複数の蓄電システムのそれぞれの放電量を認識し、
前記制御部は、前記認識部において認識した放電量が多いほど優先度が高くなるように、前記複数の蓄電システムのそれぞれに対して前記充電に関する優先度を生成する、
請求項１から３のいずれか１項に記載の電力制御装置。
【請求項７】
前記制御部は、前記需要家に設置した日付をもとに、前記複数の蓄電システムのそれぞれに対して前記充電に関する優先度を生成する、
請求項１から３のいずれか１項に記載の電力制御装置。
【請求項８】
ユーザが操作可能に構成された操作部をさらに備え、
前記制御部は、前記操作部から入力された前記放電に関する優先度をもとに、前記複数の蓄電システムのうちの少なくとも１つの蓄電システムを放電させる、
請求項１から３のいずれか１項に記載の電力制御装置。
【請求項９】
前記認識部は、前記複数の蓄電システムのそれぞれの放電可能量を認識し、
前記制御部は、前記認識部において認識した放電可能量が多いほど優先度が高くなるように、前記複数の蓄電システムのそれぞれに対して前記放電に関する優先度を生成する、
請求項１から３のいずれか１項に記載の電力制御装置。
【請求項１０】
前記認識部は、前記複数の蓄電システムのそれぞれの充電量を認識し、
前記制御部は、前記認識部において認識した充電量が多いほど優先度が高くなるように、前記複数の蓄電システムのそれぞれに対して前記放電に関する優先度を生成する、
請求項１から３のいずれか１項に記載の電力制御装置。
【請求項１１】
前記制御部は、前記需要家に設置した日付をもとに、前記複数の蓄電システムのそれぞれに対して前記放電に関する優先度を生成する、
請求項１から３のいずれか１項に記載の電力制御装置。
【請求項１２】
需要家に設置され、かつ電力系統に接続された複数の蓄電システムの充放電を制御する電力制御装置での電力制御方法であって、
前記需要家から前記電力系統への電力の逆潮流状態であるか、あるいは前記電力系統から前記需要家への電力の順潮流状態であるかを認識するステップと、
逆潮流状態であることを認識した場合、前記複数の蓄電システムの充電に関する優先度をもとに、前記複数の蓄電システムのうちの少なくとも１つの蓄電システムを充電させるステップと、
順潮流状態であることを認識した場合、前記複数の蓄電システムの放電に関する優先度をもとに、前記複数の蓄電システムのうちの少なくとも１つの蓄電システムを放電させるステップと、
を備える電力制御方法。
【請求項１３】
需要家に設置され、かつ電力系統に接続された複数の蓄電システムの充放電を制御する電力制御装置でのプログラムであって、
前記需要家から前記電力系統への電力の逆潮流状態であるか、あるいは前記電力系統から前記需要家への電力の順潮流状態であるかを認識するステップと、
逆潮流状態であることを認識した場合、前記複数の蓄電システムの充電に関する優先度をもとに、前記複数の蓄電システムのうちの少なくとも１つの蓄電システムを充電させるステップと、
順潮流状態であることを認識した場合、前記複数の蓄電システムの放電に関する優先度をもとに、前記複数の蓄電システムのうちの少なくとも１つの蓄電システムを放電させるステップとをコンピュータに実行させるプログラム。
【発明の詳細な説明】
【技術分野】
【０００１】
本発明は、電力を制御する電力制御装置、電力制御方法、プログラムに関する。
【背景技術】
【０００２】
電力システムでは、太陽光発電システムに蓄電システムを組み合わせられることがある。電力システムにおいて設定されるクリーンモードは、系統連系した商用系統からの買電を抑制し、太陽光発電システムによる発電と蓄電システムの放電によって負荷で消費する電力を賄う（例えば、特許文献１参照）。
【先行技術文献】
【特許文献】
【０００３】
【特許文献１】特開２０１４−７３０４２号公報
【発明の概要】
【発明が解決しようとする課題】
【０００４】
蓄電システムの容量が小さい場合、複数の蓄電システムが組み合わせて使用される。複数の蓄電システムを充放電させる場合、これらを独立して制御するよりも、まとめて制御する方が好ましい。
【０００５】
本発明はこうした状況に鑑みなされたものであり、その目的は、複数の蓄電システムを制御する技術を提供することにある。
【課題を解決するための手段】
【０００６】
上記課題を解決するために、本発明のある態様の電力制御装置は、需要家に設置され、かつ電力系統に接続された複数の蓄電システムの充放電を制御する電力制御装置であって、需要家から電力系統への電力の逆潮流状態であるか、あるいは電力系統から需要家への電力の順潮流状態であるかを認識する認識部と、認識部が逆潮流状態であることを認識した場合、複数の蓄電システムの充電に関する優先度をもとに、複数の蓄電システムのうちの少なくとも１つの蓄電システムを充電させる制御部とを備える。制御部は、認識部が順潮流状態であることを認識した場合、複数の蓄電システムの放電に関する優先度をもとに、複数の蓄電システムのうちの少なくとも１つの蓄電システムを放電させる。
【０００７】
本発明の別の態様は、電力制御方法である。この方法は、需要家に設置され、かつ電力系統に接続された複数の蓄電システムの充放電を制御する電力制御装置での電力制御方法であって、需要家から電力系統への電力の逆潮流状態であるか、あるいは電力系統から需要家への電力の順潮流状態であるかを認識するステップと、逆潮流状態であることを認識した場合、複数の蓄電システムの充電に関する優先度をもとに、複数の蓄電システムのうちの少なくとも１つの蓄電システムを充電させるステップと、順潮流状態であることを認識した場合、複数の蓄電システムの放電に関する優先度をもとに、複数の蓄電システムのうちの少なくとも１つの蓄電システムを放電させるステップと、を備える。
【０００８】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【０００９】
本発明によれば、複数の蓄電システムを制御できる。
【図面の簡単な説明】
【００１０】
【図１】実施例１に係る需要家の構成を示す図である。
【図２】図１の制御装置に記憶されたテーブルを示す図である。
【図３】図１の第１蓄電システムにおける制御手順を示すフローチャートである。
【図４】実施例２に係る需要家の構成を示す図である。
【発明を実施するための形態】
【００１１】
（実施例１）
本発明の実施例を具体的に説明する前に、本実施例の概要を説明する。実施例は、需要家において電力系統に接続される複数の蓄電システムに関する。需要家は、電力会社等からの電力の供給を受けている施設であり、例えば、住宅、事務所、店舗、工場、公園などである。需要家には太陽電池システムも設置され、太陽電池システムは電力系統および複数の蓄電システムに接続される。太陽電池システムにおいて発電された電力の売電価格が高価であれば、太陽電池システムにおいて発電された電力を電力系統に逆潮流させることによって売電させればよい。一方、太陽電池システムにおいて発電された電力の売電価格が安価であれば、太陽電池システムにおいて発電された電力を売電するよりも、需要家に設置された負荷に供給する方が好ましい。本実施例では後者の場合を想定する。
【００１２】
太陽電池システムにおいて発電された電力であって、かつ負荷で消費されない電力は蓄電システムに充電される方が好ましい。このような蓄電システムは、太陽電池システムが発電していないタイミングあるいは太陽電池システムにおいて発電された電力が不足しているタイミングにおいて負荷に電力を供給する。蓄電システムの容量が大きければ、需要家に１つの蓄電システムが設置されればよいが、本実施例では、蓄電システムの容量がそれほど大きくないので、需要家に複数の蓄電システムが設置される。複数の蓄電システムが設置される場合、各蓄電システムが独立して充放電を制御すれば、無駄な制御が実行されるおそれがある。そのため、複数の蓄電システムの充放電をまとめて制御することが望まれる。
【００１３】
本実施例では、複数の蓄電システムのうちの１つがマスタの蓄電システムとなり、残りがスレーブの蓄電システムとなる。マスタの蓄電システムは、複数の蓄電システムのそれぞれに対して、充電に関する優先度と放電に関する優先度とを設定する。マスタの蓄電システムは、複数の蓄電システムにおいて充電すべき状況であるか、あるいは放電すべき状況であるかを判定する。充電すべき状況である場合、マスタの蓄電システムは、充電に関する優先度をもとに、充電させる蓄電システムを選択し、選択した蓄電システムに充電を指示する。指示された蓄電システムは充電を実行する。一方、放電すべき状況である場合、マスタの蓄電システムは、放電に関する優先度をもとに同様の処理を実行する。
【００１４】
図１は、需要家１６の構成を示す。需要家１６には、電力系統３０、スマートメータ３２、分電盤３４、負荷３６、太陽電池システム３８、蓄電システム４０と総称される第１蓄電システム４０ａ、第２蓄電システム４０ｂ、第３蓄電システム４０ｃ、コンセント４４と総称される第１コンセント４４ａ、第２コンセント４４ｂ、第３コンセント４４ｃが設置される。太陽電池システム３８は、ＰＶ（Ｐｈｏｔｏｖｏｌｔａｉｃｓ）２００、ＰＶ用ＤＣ（Ｄｉｒｅｃｔ  Ｃｕｒｒｅｎｔ）／ＤＣ２０２、ＰＶ用ＤＣ／ＡＣ（Ａｌｔｅｒｎａｔｉｎｇ  Ｃｕｒｒｅｎｔ）２０４を含む。第１蓄電システム４０ａは、ＳＢ（Ｓｔｏｒａｇｅ  Ｂａｔｔｅｒｙ）２１０、ＳＢ用ＤＣ／ＤＣ２１２、双方向ＤＣ／ＡＣインバータ２１４、制御部２１６、第１通信部２１８、第２通信部２２０、操作部２２２を含み、制御部２１６は認識部２２４を含む。第２蓄電システム４０ｂ、第３蓄電システム４０ｃは第１蓄電システム４０ａと同様に構成される。
【００１５】
第１蓄電システム４０ａと分電盤３４は第１コンセント４４ａによって接続され、第２蓄電システム４０ｂと分電盤３４は第２コンセント４４ｂによって接続され、第３蓄電システム４０ｃと分電盤３４は第３コンセント４４ｃによって接続される。つまり、蓄電システム４０はコンセント４４において分電盤３４から着脱可能に構成される。そのため、需要家１６において蓄電システム４０を増設する場合、新たな蓄電システム４０をコンセント４４に接続すればよい。蓄電システム４０およびコンセント４４の数は「３」に限定されない。なお、需要家１６には、ヒートポンプ給湯機等が設置されてもよいが、ここではこれらを省略する。
【００１６】
需要家１６は、例えば、一戸建ての住宅、マンションなどの集合住宅、コンビニエンスストアまたはスーパーマーケットなどの店舗、ビルなどの商用施設、工場であり、前述のごとく、電力会社等からの電力の供給を受けている施設である。電力系統３０は電力事業者等によって提供される。スマートメータ３２は、電力系統３０に接続されたデジタル式の電力量計である。スマートメータ３２は、電力系統３０から入ってくる順潮流の電力量と、電力系統３０へ出て行く逆潮流の電力量とを計測可能である。スマートメータ３２は、通信機能を有し、第１蓄電システム４０ａと通信可能である。スマートメータ３２は、計測した結果、つまり順潮流の電力量あるいは逆潮流の電力量を第１蓄電システム４０ａに送信する。
【００１７】
配電線４２は、スマートメータ３２と分電盤３４とを結ぶ。分電盤３４は、スマートメータ３２に接続され、スマートメータ３２を介して電力系統３０に接続される。また、分電盤３４は、負荷３６を接続し、負荷３６に電力を供給する。負荷３６は分電盤３４から供給される電力を消費する機器である。負荷３６は、空調機器（エアコン）、テレビジョン受信装置（テレビ）、照明装置、冷蔵庫等の機器を含む。ここでは、分電盤３４に１つの負荷３６が接続されているが、分電盤３４に複数の負荷３６が接続されてもよい。
【００１８】
ＰＶ２００は、太陽電池であり、再生可能エネルギー発電装置である。ＰＶ２００は、光起電力効果を利用し、光エネルギーを直接電力に変換する。太陽電池として、シリコン太陽電池、化合物半導体などを素材にした太陽電池、色素増感型（有機太陽電池）等が使用される。ＰＶ２００は、ＰＶ用ＤＣ／ＤＣ２０２に接続され、発電した直流電力をＰＶ用ＤＣ／ＤＣ２０２に出力する。
【００１９】
ＰＶ用ＤＣ／ＤＣ２０２は、ＤＣ−ＤＣコンバータであり、ＰＶ２００から出力される直流電力を、所望の電圧値の直流電力に変換し、変換した直流電力をＰＶ用ＤＣ／ＡＣ２０４に出力する。ＰＶ用ＤＣ／ＤＣ２０２は、例えば、昇圧チョッパで構成される。ＰＶ用ＤＣ／ＤＣ２０２は、ＰＶ２００の出力電力が最大になるようＭＰＰＴ(Ｍａｘｉｍｕｍ  Ｐｏｗｅｒ  Ｐｏｉｎｔ  Ｔｒａｃｋｉｎｇ)制御される。ＰＶ用ＤＣ／ＡＣ２０４は、ＤＣ−ＡＣインバータであり、ＰＶ用ＤＣ／ＤＣ２０２から出力される直流電力を交流電力に変換し、交流電力を配電線４２に出力する。ここで、ＰＶ２００、ＰＶ用ＤＣ／ＤＣ２０２、ＰＶ用ＤＣ／ＡＣ２０４は一体的に形成されてもよく、その場合であっても、これを太陽電池システム３８と呼ぶものとする。
【００２０】
第１蓄電システム４０ａにおけるＳＢ２１０は、電力を充放電可能な蓄電池であり、リチウムイオン蓄電池、ニッケル水素蓄電池、鉛蓄電池、電気二重層キャパシタ、リチウムイオンキャパシタ等を含む。ＳＢ２１０はＳＢ用ＤＣ／ＤＣ２１２に接続される。ＳＢ用ＤＣ／ＤＣ２１２は、ＤＣ−ＤＣコンバータであり、ＳＢ２１０側の直流電力と、双方向ＤＣ／ＡＣインバータ２１４側の直流電力との間の変換を実行する。
【００２１】
双方向ＤＣ／ＡＣインバータ２１４は、ＳＢ用ＤＣ／ＤＣ２１２と分電盤３４との間に接続される。双方向ＤＣ／ＡＣインバータ２１４は、分電盤３４からの交流電力を直流電力に変換し、変換した直流電力をＳＢ用ＤＣ／ＤＣ２１２に出力する。また、双方向ＤＣ／ＡＣインバータ２１４は、ＳＢ用ＤＣ／ＤＣ２１２からの直流電力を交流電力に変換し、変換した交流電力を分電盤３４に出力する。つまり、双方向ＤＣ／ＡＣインバータ２１４によってＳＢ２１０は充放電される。このような双方向ＤＣ／ＡＣインバータ２１４の制御は制御部２１６によってなされる。
【００２２】
制御部２１６には第１通信部２１８と第２通信部２２０とが接続される。第１通信部２１８はスマートメータ３２と通信し、第２通信部２２０は他の蓄電システム４０との間で通信を実行する。第１通信部２１８および第２通信部２２０における通信には、有線通信あるいは無線通信が使用される。なお、第１通信部２１８および第２通信部２２０における通信が共通の方式によりなされている場合、第１通信部２１８と第２通信部２２０は一体化されてもよい。ここで、ＳＢ２１０、ＳＢ用ＤＣ／ＤＣ２１２、双方向ＤＣ／ＡＣインバータ２１４、制御部２１６、第１通信部２１８、第２通信部２２０は１つの筐体に格納されてもよく、その場合であっても、これを蓄電システム４０と呼ぶものとする。前述のごとく、第２蓄電システム４０ｂ、第３蓄電システム４０ｃは第１蓄電システム４０ａと同様に構成される。
【００２３】
第１蓄電システム４０ａの操作部２２２は、ユーザが操作可能なインターフェイスであり、例えば、ボタンにより構成される。ユーザは、操作部２２２を操作することによって、制御部２１６に対して第１蓄電システム４０ａをマスタに設定する。このようなマスタの第１蓄電システム４０ａは、複数の蓄電システム４０の充放電を制御するので、電力制御装置であるといえる。なお、第２蓄電システム４０ｂと第３蓄電システム４０ｃにも操作部２２２が備えられており、ユーザは操作部２２２を操作することによって、第２蓄電システム４０ｂと第３蓄電システム４０ｃとをいずれもスレーブに設定する。
【００２４】
第１蓄電システム４０ａの第１通信部２１８は、順潮流の電力量あるいは逆潮流の電力量をスマートメータ３２から受信する。第１通信部２１８は、順潮流の電力量あるいは逆潮流の電力量を認識部２２４に出力する。認識部２２４は、逆潮流の電力量がしきい値（以下、「第１しきい値」という）よりも大きい場合に、需要家１６から電力系統３０への電力の逆潮流状態であることを認識する。認識部２２４は、逆潮流の電力量が第１しきい値以下である場合に、逆潮流状態でないことを認識する。一方、認識部２２４は、順潮流の電力量がしきい値（以下、「第２しきい値」という）よりも大きい場合に、電力系統３０から需要家１６への電力の順潮流状態であることを認識する。認識部２２４は、順潮流の電力量が第２しきい値以下である場合に、順潮流状態でないことを認識する。
【００２５】
制御部２１６は、認識部２２４が逆潮流状態であることを認識した場合、複数の蓄電システム４０の充電に関する優先度をもとに、複数の蓄電システム４０のうちの少なくとも１つの蓄電システム４０を充電させる。図２は、制御部２１６に記憶されたテーブルを示す。充電に関する優先度は優先度（充電）と示され、第１蓄電システム４０ａから第３蓄電システム４０ｃのそれぞれに対して優先度が付与される。優先度「１」が最も優先度が高く、優先度「２」、「３」・・・の順で優先度が低くなる。図１に戻る。
【００２６】
制御部２１６は、優先度「１」の蓄電システム４０に充電を指示する。指示してから一定期間経過した後、認識部２２４が逆潮流状態であることを認識している場合、制御部２１６は、優先度「２」の蓄電システム４０に充電を指示する。さらに、指示してから一定期間経過した後、認識部２２４が逆潮流状態であることを認識している場合、制御部２１６は、優先度「３」の蓄電システム４０に充電を指示する。このような処理は、認識部２２４が逆潮流状態であることを認識しなくなるまで、続けられる。
【００２７】
優先度によって選択した蓄電システム４０が第１蓄電システム４０ａである場合、制御部２１６は、双方向ＤＣ／ＡＣインバータ２１４に充電を実行させる。一方、優先度によって選択した蓄電システム４０が第１蓄電システム４０ａ以外の他の蓄電システム４０である場合、制御部２１６は、選択した蓄電システム４０に充電を実行させるための指示信号を生成し、第２通信部２２０に出力する。第２通信部２２０は、選択された蓄電システム４０に対して指示信号を送信する。選択された蓄電システム４０の第２通信部２２０は、第１蓄電システム４０ａからの指示信号を受信する。選択された蓄電システム４０の制御部２１６は、双方向ＤＣ／ＡＣインバータ２１４に充電を実行させる。
【００２８】
第１蓄電システム４０ａの制御部２１６は、認識部２２４が順潮流状態であることを認識した場合、複数の蓄電システム４０の放電に関する優先度をもとに、複数の蓄電システム４０のうちの少なくとも１つの蓄電システム４０を放電させる。図２において放電に関する優先度は優先度（放電）と示され、第１蓄電システム４０ａから第３蓄電システム４０ｃのそれぞれに対して優先度が付与される。ここでも優先度「１」が最も優先度が高く、優先度「２」、「３」・・・の順で優先度が低くなる。なお、充電に関する優先度と、放電に関する優先度とは異なる。図１に戻る。
【００２９】
制御部２１６は、優先度「１」の蓄電システム４０に放電を指示する。指示してから一定期間経過した後、認識部２２４が順潮流状態であることを認識している場合、制御部２１６は、優先度「２」の蓄電システム４０に放電を指示する。さらに、指示してから一定期間経過した後、認識部２２４が順潮流状態であることを認識している場合、制御部２１６は、優先度「３」の蓄電システム４０に放電を指示する。このような処理は、認識部２２４が順潮流状態であることを認識しなくなるまで、続けられる。なお、選択した蓄電システム４０に対する放電の指示は、充電の場合と同様になされればよいので、ここでは説明を省略する。このように第１蓄電システム４０ａの制御部２１６は、需要家１６に設置され、かつ電力系統３０に接続された複数の蓄電システム４０の充放電を制御する
【００３０】
以下では、（１−１）から（１−４）の順に充電に関する優先度の生成処理を説明してから、（２−１）から（２−４）の順に放電に関する優先度の生成処理を説明する。
（１−１）充電に関する優先度の生成処理（その１）
ユーザは第１蓄電システム４０ａの操作部２２２を操作することによって、各蓄電システム４０に対する優先度であって、かつ充電に関する優先度を入力する。制御部２１６は、操作部２２２の操作を受けつけることによって、各蓄電システム４０に対する優先度であって、かつ充電に関する優先度を受けつける。制御部２１６は、図２のテーブルのように、充電に関する優先度を記憶する。なお、充電に関する優先度は、時間帯毎に変わるように指定されてもよい。制御部２１６は、充電に関する優先度をもとに、複数の蓄電システム４０のうちの少なくとも１つの蓄電システム４０を充電させる。
【００３１】
（１−２）充電に関する優先度の生成処理（その２）
第１蓄電システム４０ａの認識部２２４はＳＢ２１０における充電可能量を認識する。この処理には公知の技術が使用されればよいので、ここでは説明を省略する。また、第１蓄電システム４０ａの第２通信部２２０は、他の蓄電システム４０と通信することによって、他の蓄電システム４０のＳＢ２１０における充電可能量に関する情報を受信する。第２通信部２２０は、受信した情報を認識部２２４に出力し、認識部２２４は、他の蓄電システム４０のＳＢ２１０における充電可能量を認識する。その結果、認識部２２４は、複数の蓄電システム４０のそれぞれの充電可能量を認識する。制御部２１６は、認識部２２４において認識した充電可能量が多いほど優先度が高くなるように、複数の蓄電システム４０のそれぞれに対して充電に関する優先度を生成する。なお、このような処理は定期的になされており、その都度、充電に関する優先度が変わることもある。
【００３２】
（１−３）充電に関する優先度の生成処理（その３）
第１蓄電システム４０ａの認識部２２４はＳＢ２１０における放電量を認識する。放電量は、例えば前日の放電量である。また、第１蓄電システム４０ａの第２通信部２２０は、他の蓄電システム４０と通信することによって、他の蓄電システム４０のＳＢ２１０における放電量に関する情報を受信する。第２通信部２２０は、受信した情報を認識部２２４に出力し、認識部２２４は、他の蓄電システム４０のＳＢ２１０における放電量を認識する。その結果、認識部２２４は、複数の蓄電システム４０のそれぞれの放電量を認識する。制御部２１６は、認識部２２４において認識した放電量が多いほど優先度が高くなるように、複数の蓄電システム４０のそれぞれに対して充電に関する優先度を生成する。なお、このような処理は定期的になされており、その都度、充電に関する優先度が変わることもある。
【００３３】
（１−４）充電に関する優先度の生成処理（その４）
第１蓄電システム４０ａを需要家１６に設置した際に、ユーザは操作部２２２を操作して、設置した日付を入力する。制御部２１６は、操作部２２２の操作を受けつけることによって、第１蓄電システム４０ａを設置した日付を受けつける。また、このような処理は他の蓄電システム４０においてもなされる。また、第１蓄電システム４０ａの第２通信部２２０は、他の蓄電システム４０と通信することによって、他の蓄電システム４０が設置された日付に関する情報を受信する。第２通信部２２０は、受信した情報を制御部２１６に出力し、制御部２１６は、他の蓄電システム４０が設置された日付を取得する。制御部２１６は、需要家１６に設置した日付をもとに、複数の蓄電システム４０のそれぞれに対して充電に関する優先度を生成する。例えば、需要家１６に設置した日付が早いほど、高い優先度が付与される。一方、需要家１６に設置した日付が遅いほど、高い優先度が付与されてもよい。このような優先度は、新しい蓄電システム４０が需要家１６に設置される毎に更新される。
【００３４】
（２−１）放電に関する優先度の生成処理（その１）
ユーザは第１蓄電システム４０ａの操作部２２２を操作することによって、各蓄電システム４０に対する優先度であって、かつ放電に関する優先度を入力する。制御部２１６は、操作部２２２の操作を受けつけることによって、各蓄電システム４０に対する優先度であって、かつ放電に関する優先度を受けつける。制御部２１６は、図２のテーブルのように、放電に関する優先度を記憶する。なお、放電に関する優先度は、時間帯毎に変わるように指定されてもよい。制御部２１６は、放電に関する優先度をもとに、複数の蓄電システム４０のうちの少なくとも１つの蓄電システム４０を放電させる。
【００３５】
（２−２）放電に関する優先度の生成処理（その２）
第１蓄電システム４０ａの認識部２２４はＳＢ２１０における放電可能量を認識する。この処理には公知の技術が使用されればよいので、ここでは説明を省略する。また、第１蓄電システム４０ａの第２通信部２２０は、他の蓄電システム４０と通信することによって、他の蓄電システム４０のＳＢ２１０における放電可能量に関する情報を受信する。第２通信部２２０は、受信した情報を認識部２２４に出力し、認識部２２４は、他の蓄電システム４０のＳＢ２１０における放電可能量を認識する。その結果、認識部２２４は、複数の蓄電システム４０のそれぞれの放電可能量を認識する。制御部２１６は、認識部２２４において認識した放電可能量が多いほど優先度が高くなるように、複数の蓄電システム４０のそれぞれに対して放電に関する優先度を生成する。なお、このような処理は定期的になされており、その都度、放電に関する優先度が変わることもある。
【００３６】
（２−３）放電に関する優先度の生成処理（その３）
第１蓄電システム４０ａの認識部２２４はＳＢ２１０における充電量を認識する。充電量は、例えば前日の充電量である。また、第１蓄電システム４０ａの第２通信部２２０は、他の蓄電システム４０と通信することによって、他の蓄電システム４０のＳＢ２１０における充電量に関する情報を受信する。第２通信部２２０は、受信した情報を認識部２２４に出力し、認識部２２４は、他の蓄電システム４０のＳＢ２１０における充電量を認識する。その結果、認識部２２４は、複数の蓄電システム４０のそれぞれの充電量を認識する。制御部２１６は、認識部２２４において認識した充電量が多いほど優先度が高くなるように、複数の蓄電システム４０のそれぞれに対して放電に関する優先度を生成する。なお、このような処理は定期的になされており、その都度、放電に関する優先度が変わることもある。
【００３７】
（２−４）放電に関する優先度の生成処理（その４）
第１蓄電システム４０ａを需要家１６に設置した際に、ユーザは操作部２２２を操作して、設置した日付を入力する。制御部２１６は、操作部２２２の操作を受けつけることによって、第１蓄電システム４０ａを設置した日付を受けつける。また、このような処理は他の蓄電システム４０においてもなされる。また、第１蓄電システム４０ａの第２通信部２２０は、他の蓄電システム４０と通信することによって、他の蓄電システム４０が設置された日付に関する情報を受信する。第２通信部２２０は、受信した情報を制御部２１６に出力し、制御部２１６は、他の蓄電システム４０が設置された日付を取得する。制御部２１６は、需要家１６に設置した日付をもとに、複数の蓄電システム４０のそれぞれに対して放電に関する優先度を生成する。例えば、需要家１６に設置した日付が早いほど、高い優先度が付与される。一方、需要家１６に設置した日付が遅いほど、高い優先度が付与されてもよい。このような優先度は、新しい蓄電システム４０が需要家１６に設置される毎に更新される。
【００３８】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００３９】
以上の構成による蓄電システム４０の動作を説明する。図３は、第１蓄電システム４０ａにおける制御手順を示すフローチャートである。第１蓄電システム４０ａの第１通信部２１８は電力量の情報を取得する（Ｓ１０）。電力量の情報をもとに逆潮流状態が発生していれば（Ｓ１２のＹ）、制御部２１６は、買電が発生しない範囲での充電を決定する（Ｓ１４）。制御部２１６は、充電に関する優先度をもとに、充電させる蓄電システム４０を選択する（Ｓ１６）。制御部２１６は、選択した蓄電システム４０に充電を指示する（Ｓ１８）。電力量の情報をもとに逆潮流状態が発生しておらず（Ｓ１２のＮ）、順潮流状態が発生していれば（Ｓ２０のＹ）、制御部２１６は、売電が発生しない範囲での放電を決定する（Ｓ２２）。制御部２１６は、放電に関する優先度をもとに、放電させる蓄電システム４０を選択する（Ｓ２４）。制御部２１６は、選択した蓄電システム４０に放電を指示する（Ｓ２６）。電力量の情報をもとに順潮流状態が発生していなければ（Ｓ２０のＮ）、処理は終了される。
【００４０】
本実施例によれば、逆潮流状態では充電に関する優先度をもとに、複数の蓄電システム４０のうちの少なくとも１つを充電させ、順潮流状態では放電に関する優先度をもとに、複数の蓄電システム４０のうちの少なくとも１つを放電させるので、複数の蓄電システム４０を制御できる。また、複数の蓄電システム４０をまとめて制御するので、充電あるいは放電の効率を向上できる。また、充電に関する優先度と、放電に関する優先度とは異なるので、充電および放電に適した優先度を設定できる。
【００４１】
また、ユーザが入力した充電に関する優先度をもとに、充電に関する優先度を設定するので、ユーザの意図に応じた優先度を設定できる。また、複数の蓄電システム４０のそれぞれの充電可能量が多いほど優先度が高くなるように、複数の蓄電システム４０のそれぞれに対して充電に関する優先度を生成するので、充電させる蓄電システム４０の数を少なくできる。また、複数の蓄電システム４０のそれぞれの放電量が多いほど優先度が高くなるように、複数の蓄電システム４０のそれぞれに対して充電に関する優先度を生成するので、充電させる蓄電システム４０の数を少なくできる。また、需要家１６に設置した日付が早いほど優先度が高くなるように、複数の蓄電システム４０のそれぞれに対して充電に関する優先度を生成するので、最初に設置した蓄電システム４０を優先的に充電させることができる。また、需要家１６に設置した日付が遅いほど優先度が高くなるように、複数の蓄電システム４０のそれぞれに対して充電に関する優先度を生成するので、新たに設置した蓄電システム４０を優先的に充電させることができる。
【００４２】
また、ユーザが入力した放電に関する優先度をもとに、放電に関する優先度を設定するので、ユーザの意図に応じた優先度を設定できる。また、複数の蓄電システム４０のそれぞれの放電可能量が多いほど優先度が高くなるように、複数の蓄電システム４０のそれぞれに対して放電に関する優先度を生成するので、放電させる蓄電システム４０の数を少なくできる。また、複数の蓄電システム４０のそれぞれの充電量が多いほど優先度が高くなるように、複数の蓄電システム４０のそれぞれに対して放電に関する優先度を生成するので、放電させる蓄電システム４０の数を少なくできる。また、需要家１６に設置した日付が早いほど優先度が高くなるように、複数の蓄電システム４０のそれぞれに対して放電に関する優先度を生成するので、最初に設置した蓄電システム４０を優先的に放電させることができる。また、需要家１６に設置した日付が遅いほど優先度が高くなるように、複数の蓄電システム４０のそれぞれに対して放電に関する優先度を生成するので、新たに設置した蓄電システム４０を優先的に放電させることができる。
【００４３】
本発明の一態様の概要は、次の通りである。本発明のある態様の第１蓄電システム４０ａは、需要家１６に設置され、かつ電力系統３０に接続された複数の蓄電システム４０の充放電を制御する第１蓄電システム４０ａであって、需要家１６から電力系統３０への電力の逆潮流状態であるか、あるいは電力系統３０から需要家１６への電力の順潮流状態であるかを認識する認識部２２４と、認識部２２４が逆潮流状態であることを認識した場合、複数の蓄電システム４０の充電に関する優先度をもとに、複数の蓄電システム４０のうちの少なくとも１つの蓄電システム４０を充電させる制御部２１６とを備える。制御部２１６は、認識部２２４が順潮流状態であることを認識した場合、複数の蓄電システム４０の放電に関する優先度をもとに、複数の蓄電システム４０のうちの少なくとも１つの蓄電システム４０を放電させる。
【００４４】
制御部２１６における充電に関する優先度と、放電に関する優先度とは共通である。
【００４５】
制御部２１６における充電に関する優先度と、放電に関する優先度とは異なる。
【００４６】
ユーザが操作可能に構成された操作部２２２をさらに備えてもよい。制御部２１６は、操作部２２２から入力された充電に関する優先度をもとに、複数の蓄電システム４０のうちの少なくとも１つの蓄電システム４０を充電させる。
【００４７】
認識部２２４は、複数の蓄電システム４０のそれぞれの充電可能量を認識し、制御部２１６は、認識部２２４において認識した充電可能量が多いほど優先度が高くなるように、複数の蓄電システム４０のそれぞれに対して充電に関する優先度を生成する。
【００４８】
認識部２２４は、複数の蓄電システム４０のそれぞれの放電量を認識し、制御部２１６は、認識部２２４において認識した放電量が多いほど優先度が高くなるように、複数の蓄電システム４０のそれぞれに対して充電に関する優先度を生成する。
【００４９】
制御部２１６は、需要家１６に設置した日付をもとに、複数の蓄電システム４０のそれぞれに対して充電に関する優先度を生成する。
【００５０】
ユーザが操作可能に構成された操作部２２２をさらに備えてもよい。制御部２１６は、操作部２２２から入力された放電に関する優先度をもとに、複数の蓄電システム４０のうちの少なくとも１つの蓄電システム４０を放電させる。
【００５１】
認識部２２４は、複数の蓄電システム４０のそれぞれの放電可能量を認識し、制御部２１６は、認識部２２４において認識した放電可能量が多いほど優先度が高くなるように、複数の蓄電システム４０のそれぞれに対して放電に関する優先度を生成する。
【００５２】
認識部２２４は、複数の蓄電システム４０のそれぞれの充電量を認識し、制御部２１６は、認識部２２４において認識した充電量が多いほど優先度が高くなるように、複数の蓄電システム４０のそれぞれに対して放電に関する優先度を生成する。
【００５３】
制御部２１６は、需要家１６に設置した日付をもとに、複数の蓄電システム４０のそれぞれに対して放電に関する優先度を生成する。
【００５４】
本発明の別の態様は、電力制御方法である。この方法は、需要家１６に設置され、かつ電力系統３０に接続された複数の蓄電システム４０の充放電を制御する第１蓄電システム４０ａでの電力制御方法であって、需要家１６から電力系統３０への電力の逆潮流状態であるか、あるいは電力系統３０から需要家１６への電力の順潮流状態であるかを認識するステップと、逆潮流状態であることを認識した場合、複数の蓄電システム４０の充電に関する優先度をもとに、複数の蓄電システム４０のうちの少なくとも１つの蓄電システム４０を充電させるステップと、順潮流状態であることを認識した場合、複数の蓄電システム４０の放電に関する優先度をもとに、複数の蓄電システム４０のうちの少なくとも１つの蓄電システム４０を放電させるステップと、を備える。
【００５５】
（実施例２）
次に、実施例２を説明する。実施例２は、実施例１と同様に、需要家において電力系統に接続される複数の蓄電システムに関する。実施例１においては、第１蓄電システムが電力制御装置となって、優先度を使用しながら、複数の蓄電システムにおける充放電を制御している。実施例２においては、複数の蓄電システムとは別に電力管理システムサーバが備えられ、電力管理システムサーバが電力制御装置として、優先度を使用しながら、複数の蓄電システムにおける充放電を制御する。ここでは、実施例１との差異を中心に説明する。
【００５６】
図４は、需要家１６の構成を示す。需要家１６は、図１の構成に電力管理システムサーバ１４が追加される。電力管理システムサーバ１４は、制御部２１６、第１通信部２１８、第２通信部２２０を含み、制御部２１６は認識部２２４を含む。電力管理システムサーバ１４は、電力管理システムの処理を実行するためのコンピュータであり、例えば、需要家１６内に設置される。電力管理システムサーバ１４は、例えば、ＨＥＭＳ（Ｈｏｍｅ  Ｅｎｅｒｇｙ  Ｍａｎａｇｅｍｅｎｔ  Ｓｙｓｔｅｍ）コントローラとしての機能を有する。電力管理システムサーバ１４における制御部２１６、第１通信部２１８、第２通信部２２０、認識部２２４は、図１の第１蓄電システム４０ａにおけるそれらと同様の処理を実行する。そのため、ここでは、制御部２１６、第１通信部２１８、第２通信部２２０、認識部２２４の説明を省略する。なお、図４の第１蓄電システム４０ａも、他の蓄電システム４０と同様にスレーブの蓄電システム４０として設定される。
【００５７】
本変形例によれば、電力管理システムサーバ１４において複数の蓄電システム４０の充放電を制御するので、構成の自由度を向上できる。
【００５８】
（実施例３）
次に、実施例３を説明する。実施例３は、実施例１と同様に、需要家において電力系統に接続される複数の蓄電システムに関する。これまでは、充電に関する優先度をもとに、少なくとも１つの蓄電システム４０を選択して、当該蓄電システム４０に充電をさせたり、放電に関する優先度をもとに、少なくとも１つの蓄電システム４０を選択して、当該蓄電システム４０に放電をさせたりしている。一方、実施例３では、複数の蓄電システム４０に同時に充電をさせたり、放電をさせたりする。実施例３に係る需要家１６の構成は、図１あるいは図４と同様のタイプである。ここでは、これまでとの差異を中心に説明する。
【００５９】
制御部２１６は、認識部２２４が逆潮流状態であることを認識した場合、逆潮流の電力量を、予め設定された割合で配分した各電力によって、複数の蓄電システム４０を充電させる。ここで、予め設定された割合の一例は等分である。例えば、図１のごとく、３つの蓄電システム４０が含まれる場合、これらは均等に充電を実行する。また、予め定められた割合の別の一例は、複数の蓄電システム４０のそれぞれの充電可能量に応じた値である。複数の蓄電システム４０のそれぞれの充電可能量はこれまでと同様に第２通信部２２０を使用して集められる。
【００６０】
制御部２１６は、認識部２２４が順潮流状態であることを認識した場合、順潮流の電力量を、予め設定された割合で配分した各電力によって、複数の蓄電システム４０を放電させる。ここで、予め設定された割合の一例は等分である。例えば、図１のごとく、３つの蓄電システム４０が含まれる場合、これらは均等に放電を実行する。また、予め定められた割合の別の一例は、複数の蓄電システム４０のそれぞれの放電可能量に応じた値である。複数の蓄電システム４０のそれぞれの放電可能量はこれまでと同様に第２通信部２２０を使用して集められる。
【００６１】
本実施例によれば、複数の蓄電システム４０に同時に充電をさせるので、１つの蓄電システム４０だけに充電が集中することを抑制できる。また、複数の蓄電システム４０に均等に充電させるので、複数の蓄電システム４０の充電量を均等にできる。また、複数の蓄電システム４０のそれぞれの充電可能量をもとに複数の蓄電システム４０を充電させるので、各蓄電システム４０に適した充電を実行できる。また、複数の蓄電システム４０に同時に放電をさせるので、１つの蓄電システム４０だけに放電が集中することを抑制できる。また、複数の蓄電システム４０に均等に放電させるので、複数の蓄電システム４０の放電量を均等にできる。また、複数の蓄電システム４０のそれぞれの放電可能量をもとに複数の蓄電システム４０を充電させるので、各蓄電システム４０に適した放電を実行できる。
【００６２】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００６３】
本実施例１、２において、充電に関する優先度と、放電に関する優先度とは異なっている。しかしながらこれに限らず例えば、充電に関する優先度と、放電に関する優先度とは共通であってもよい。本変形例によれば、これらの優先度を容易に設定できる。
【符号の説明】
【００６４】
１４  電力管理システムサーバ（電力管理装置）、  １６  需要家、  ３０  電力系統、  ３２  スマートメータ、  ３４  分電盤、  ３６  負荷、  ３８  太陽電池システム、  ４０  蓄電システム（電力管理装置）、  ４２  配電線、  ４４  コンセント、  ２００  ＰＶ、  ２０２  ＰＶ用ＤＣ／ＤＣ、  ２０４  ＰＶ用ＤＣ／ＡＣ、  ２１０  ＳＢ、  ２１２  ＳＢ用ＤＣ／ＤＣ、  ２１４  双方向ＤＣ／ＡＣインバータ、  ２１６  制御部、  ２１８  第１通信部、  ２２０  第２通信部、  ２２２  操作部、  ２２４  認識部。
【図１】
2019118170.tif 000003
【図２】
2019118170.tif 000004
【図３】
2019118170.tif 000005
【図４】
2019118170.tif 000006